(57)【要約】【課題】  アーマチュアとロータ間の摩擦面への油の侵入を低減することができる電磁クラッチを提供する。【解決手段】  回転軸１に相対回転不能に取り付けられたロータ２、回転軸１に回転摺動可能に取り付けられたハブ３、ロータ２をハ３ブ側に押し付けるように回転軸１に取り付けられたロータ押さえ６を備える電磁クラッチにおいて、ロータ押さえ６を分割第１ロータ押さえ６ａと分割第２ロータ押さえ６ｂの２分割構造とし、接合面であるロータ押さえ外周面に凹部９を設けた。【選択図】  図１
2006200593.tif 000002
【特許請求の範囲】
【請求項１】
回転軸に相対回転不能に取り付けられたロータ、前記回転軸に回転摺動可能に取り付けられたハブ、前記ロータをハブ側に押し付けるように回転軸に取り付けられたロータ押さえを備える電磁クラッチにおいて、前記ロータ押さえを分割第１ロータ押さえと分割第２ロータ押さえの２分割構造とし、接合面であるロータ押さえ外周面に凹部を設けたこと特徴とする電磁クラッチ。
【請求項２】
請求項１記載の電磁クラッチにおいて、前記凹部は周方向に沿って任意数設けられることを特徴とする電磁クラッチ。
【請求項３】
請求項１記載の電磁クラッチにおいて、前記分割第１ロータ押さえと前記分割第２ロータ押さえのいずれか一方は高含油率処理され、他方は低含油率処理されていることを特徴とする電磁クラッチ。
【請求項４】
請求項３記載の電磁クラッチにおいて、低含油率処理された前記分割ロータ押さえを前記ロータ側に配置したことを特徴とする電磁クラッチ。
【請求項５】
請求項３記載の電磁クラッチにおいて、高含油処理された前記分割ロータ押さえの方が、低含油率処理された前記分割ロータ押さえよりも軸方向長が長く形成されていることを特徴とする電磁クラッチ。
【発明の詳細な説明】
【技術分野】
【０００１】
本発明は、複写機、プリンタなどのＯＡ機器に使用して好適な電磁クラッチに関するものである。
【背景技術】
【０００２】
モータからの駆動力を断接させる電磁クラッチにおいては、励磁用コイルに電流を流すと磁束が生じて磁気回路が形成され、アーマチュアがロータ側に吸引され、駆動側の回転力は、ハブ、アーマチュア、ロータ、回転軸から被動軸に伝達される。通常、ロータ押さえとしては焼き付き防止のため、含油処理された粉末冶金製のものが使用されている。駆動力が伝達されると、ロータ押さえは摩擦熱により温度が上がり、ロータ押さえから滲出した油が潤滑の役目を果たしている。
しかし、ローラ押さえから滲出する油量が多いと、ロータ押さえの外周面を伝わってアーマチュアとロータ間の摩擦面間にまで油が漏洩する。アーマチュアとロータ間の摩擦面間への油の侵入により伝達力の低下を引き起こす不具合が発生している。
例えば、特許文献１記載の技術では、プラスチック材製のアーマチュアハブに軸受圧入部を形成して含油軸受を圧入嵌合し、軸受圧入部の最深部と含油軸受の端面とにより環状溝を成形し、含油軸受から滲出した潤滑油を溜めるようにしている。
【特許文献１】特開平１０−２５２７８３号公報
【発明の開示】
【発明が解決しようとする課題】
【０００３】
しかし、上記従来技術では、含油軸受がアーマチュアハブの途中までしか圧入されていないため、含油軸受とアーマチュアハブの２面で回転軸が摺動することになり、アーマチュアハブと含油軸受の熱膨張係数の違いにより摩擦係数が変動し振動や異音が発生することがある。
本発明は、アーマチュアとロータ間の摩擦面への油の侵入を低減することができる電磁クラッチを提供することを目的とする。
【課題を解決するための手段】
【０００４】
上記目的を達成するために、請求項１記載の発明は、回転軸に相対回転不能に取り付けられたロータ、回転軸に回転摺動可能に取り付けられたハブ、ロータをハブ側に押し付けるように回転軸に取り付けられたロータ押さえを備える電磁クラッチにおいて、ロータ押さえを分割第１ロータ押さえと分割第２ロータ押さえの２分割構造とし、接合面であるロータ押さえ外周面に凹部を設けた電磁クラッチを最も主要な特徴とする。
請求項２記載の発明は、請求項１記載の電磁クラッチにおいて、凹部は任意数設けられる電磁クラッチを主要な特徴とする。
請求項３記載の発明は、請求項１記載の電磁クラッチにおいて、分割第１ロータ押さえと分割第２ロータ押さえのいずれか一方は高含油率処理され、他方は低含油率処理されている電磁クラッチを主要な特徴とする。
請求項４記載の発明は、請求項３記載の電磁クラッチにおいて、低含油率処理された分割ロータ押さえをロータ側に配置した電磁クラッチを主要な特徴とする。
請求項５記載の発明は、請求項３記載の電磁クラッチにおいて、高含油処理された分割ロータ押さえの方が、低含油率処理された分割ロータ押さえより長く形成されている電磁クラッチを主要な特徴とする。
【発明の効果】
【０００５】
本発明は、回転軸に相対回転不能に取り付けられたロータ、回転軸に回転摺動可能に取り付けられたハブ、ロータをハブ側に押し付けるように回転軸に取り付けられたロータ押さえを備える電磁クラッチにおいて、ロータ押さえを分割第１ロータ押さえと分割第２ロータ押さえの２分割構造とし、接合面であるロータ押さえ外周面に凹部を設けたので、アーマチュアとロータ間の摩擦面への油の侵入量を低減することができる。
【発明を実施するための最良の形態】
【０００６】
以下、本発明の実施形態を図面に従って説明する。
図１は本発明の一実施形態に係る電磁クラッチの断面図である。電磁クラッチは、回転軸１、回転軸１に相対回転不能に取り付けられたロータ２、回転軸１に回転摺動可能に取り付けられるとともに図示しない駆動側からの駆動力を受けるハブ３、ハブ３に板ばね４を介して取り付けられたロータ２と連結可能なアーマチュア５、ロータ２をハブ３側に押し付けるように回転軸１に取り付けられたロータ押さえ６、ロータ押さえ６に回転可能に取り付けられたステータ７、ステータ７に内装されロータ２とアーマチュア５との連結を制御するコイル８、回転軸１内の空所内に嵌合配置された被動軸１０を備える。
コイル８に電流を流すと磁束が生じて磁気回路が形成され、アーマチュア５がロータ２側に吸引されるので、図示しない駆動側の回転力は、ハブ３、アーマチュア５、ロータ２、回転軸１から被動軸１０に伝達される。
本発明では、ロータ押さえ６を２分割構造とし、分割第１ロータ押さえ６ａと分割第２ロータ押さえ６ｂとから構成している。ロータ２側には低含油処理して、分割第１ロータ押さえ６ａの全長より長さを短くした分割第２ロータ押さえ６ｂを配置し、電磁クラッチ端部側には高含油処理して、分割第２ロータ押さえ６ｂの全長より長くした第１ロータ押さえ６ａを配置し、両者の接合部には凹部（凹凸嵌合部）９を設けている。
図２は分割第１ロータ押さえ６ａの断面図、図３は分割第２ロータ押さえ６ｂの断面図である。分割第１ロータ押さえ６ａの分割第２ロータ押さえ６ｂ側内周面には被嵌合部１１が形成され、分割第２ロータ押さえ６ｂの外周面には、この被嵌合部１１に圧入嵌合する嵌合部１２が形成されている。
分割第１ロータ押さえ６ａの全長Ｌ１と、分割第２ロータ押さえ６ｂの全長Ｌ２の関係は、Ｌ１＞Ｌ２であり、被嵌合部１１の深さ(長さ)Ｌ３、嵌合部１２の長さＬ４の関係は、Ｌ４＞Ｌ３である。このような形状で両者を成形、焼結する。分割第１ロータ押さえ６ａには含油率１０％以上の含油処理（含油処理された粉末冶金製）を施す。また、分割第２ロータ押さえ６ｂには含油率５％以下の含油処理を施す。
【０００７】
図４はロータ押さえ６の断面図である。分割第１ロータ押さえ６ａと分割第２ロータ押さえ６ｂを圧入嵌合させ、ロータ押さえ６を構成すると、一つのロータ押さえの中で高含油率部と低含油率部ができ、ロータ押さえ外周面にリング状の凹部９が形成される。
圧入嵌合により形成される凹部９は、実施形態では周方向全長に亘って延在するリング状としたが、周方向に断続的に１個または複数個形成してもよい。
本実施形態では、ロータ押さえ６を２分割構造(分割第１ロータ押さえ６ａと分割第２ロータ押さえ６ｂ)として圧入嵌合し、接合部に凹部９を成形したので、この部分が油溜まりとなり、アーマチュア５とロータ２間の摩擦面への油の侵入が低減され伝達力の低下を防止することができる。
また、接合部の凹部９を１個から複数個の配置にしたので、使用状況に応じて設定できる。また、ロータ押さえ６を高含油処理されたものと低含油処理されたものとの組合せにしたので、高含油率から滲出した油が低含油率側で毛細管作用により吸収される。
また、低含油率処理された分割第２ロータ押さえ６ｂをロータ２側に配置したので、高含油率処理した分割第１ロータ押さえ６ａから滲出した油が凹部９に溜まり、あふれ出たものは低含油率処理された分割第２ロータ押さえ６ｂで毛細管作用により吸収される。分割第２ロータ押さえ６ｂの含油率は焼き付けを起こさない必要最小限の量に設定しているので滲出する油は必要最低限に押さえられる。
また、高含油処理された分割第１ロータ押さえ６ａの方の全長を長くしたので、摺動面には十分な油がにじみ出し、良好な潤滑効果を果たし、油が枯れることなく長期に渡り安定して回転力を伝達できる。
【図面の簡単な説明】
【０００８】
【図１】本発明の実施形態に係る電磁クラッチの断面図である。
【図２】分割第１ロータ押さえの断面図である。
【図３】分割第２ロータ押さえの断面図である。
【図４】ロータ押さえの断面図である。
【符号の説明】
【０００９】
１    回転軸
２    ロータ
３    ハブ
４    板ばね
５    アーマチュア
６    ロータ押さえ
６ａ  分割第１ロータ押さえ
６ｂ  分割第２ロータ押さえ
７    ステータ
８    コイル
９    凹部
１０    被動軸
１１    被嵌合部
１２    嵌合部
【図１】
2006200593.tif 000003
【図２】
2006200593.tif 000004
【図３】
2006200593.tif 000005
【図４】
2006200593.tif 000006